(57)【特許請求の範囲】
【請求項１】
前方部分、後方部分及びおねじを有する中間部分を有すると共にスピンドルに非回転的に取付可能な中空の軸と、
前記軸に回転可能に取り付けられる釣糸スプールと、
前記軸の周りの前記釣糸スプールの回転を調整可能に制動する釣糸スプールドラグであって、一方が前記軸に非回転的に結合され、他方が釣糸スプールに非回転的に結合され、互いに回転妨害摩擦係合を行う少なくとも２つのドラグワッシャを有する釣糸スプールドラグと、
前記釣糸スプールの後ろの前記軸の後方部分に回転可能に取り付けられると共に前記釣糸スプールドラグのブレーキ効果を調整する調整ノブと、
前記調整ノブに非回転的に結合されると共に、前記調整ノブの回転による調整可能な力によって弾性部材を介して前記ドラッグワッシャを互いに向かって押すように前記軸のねじ付き中間部分にねじ係合する調整ナットとを有する固定スプールタイプのオープンフェイス型釣糸用リールのスピンドルに取り付けられる釣糸スプール組立体。
【請求項２】
前記調整ナットは前記調整ノブに関して軸線方向に移動可能である請求項１に記載の釣糸スプール組立体。
【請求項３】
前記調整ノブは、前端に少なくとも１つの軸線方向前方に開放するスリットを有するスリーブ形状のハブ部分を有し、前記調整ナットは、軸線方向後方に突出する突出部を有し、この突出部は、前記スリットに対応し、前記スリットに軸線方向に移動可能に係合し、前記調整ノブと前記調整ナットとの間で非回転可能な結合を行う請求項１に記載の釣糸スプール組立体。
【請求項４】
前記調整ノブは、ハブ部分を包囲し、ドラグワッシャが配置されるする凹部を有する請求項３に記載の釣糸スプール組立体。
【請求項５】
前記調整ノブは、前記凹部の半径方向外側に後方に伸びる円筒形部分を有する請求項４に記載の釣糸スプール組立体。
【請求項６】
前記調整ノブの円筒形部分は、外側のゴムコーティングを有する請求項５に記載の釣糸スプール組立体。
【請求項７】
前記釣糸スプールは、前記軸に回転可能に取り付けられた内側スリーブ部材と、前記内側スリーブ部材に非回転可能に取り付けられ、着脱可能な固定部材によって軸線方向に固定されている外側スリーブ部材とを有し、前記内側スリーブ部材は、半径方向に突出する後方フランジを有し、前記軸に非回転的に結合された半径方向に突出するフランジは、前記内側スリーブ部材の後方フランジの背後に配置され、前記ドラグワッシャは前記フランジと前記後方フランジとの間に配置される請求項４に記載の釣糸スプール組立体。
【請求項８】
前記軸に非回転的に接続されたフランジはスリーブ上に形成され、前記スリーブは前記軸上に非回転可能に配置され、調整ナット及び前記調整ノブのハブ部分上を前記軸の前方部分から前記調整ノブの凹部に伸びており、前記軸上の内側スリーブ部材を回転可能に取り付ける軸受スリーブを構成し、前記スリーブは半径方向内側に突出する前方フランジを有し、前記弾性部材は、前記調整ナットと前記前方フランジとの間のスリーブの内側に配置されている請求項７に記載の釣糸スプール組立体。
【発明の詳細な説明】
【０００１】
【発明の属する技術分野】
本発明は、固定スプールタイプのオープンフェイス仕上げリールのスピンドルに取付けるための釣糸スプール組立体に関する。
【０００２】
【従来の技術】
このタイプの釣糸スプール組立体は、例えば米国特許第５，００７，６０２号で公知である。この従来技術の組立体は、釣糸が巻かれる中央部分と、中央部分の両側に配置された半径方向に突出した端部フランジとを有する釣糸フランジを有する。
【０００３】
この釣糸スプールは、中空の軸に回転可能に取り付けられており、中空の軸は、固定スプールタイプのオープンフェイス釣りリールのスピンドルに回転しないように固定されている。この中空の軸は、スピンドルの前方の端部部分に設けられた弾性手段によってスピンドル上を通過されて保持される。スリーブの形のプッシュボタンがスピンドルの前端で軸線方向に移動可能である。軸及びその上に取り付けられた釣糸スプールがスピンドルから除去されるとき、軸がスピンドルがから引くことができるように軸から弾性装置を開放するようにスピンドル上で所定の距離だけ内側にプッシュボタンが押される。
【０００４】
軸の周りの釣糸スプールの回転の調整可能なブレーキを行う釣糸スプールドラグは、釣糸スプールに非回転可能に接続されると共にその後端フランジの後側に係合する第１のドラグワッシャと、軸に回転可能に接続されると共に後方停止ラグに係合する第２のドラグワッシャと、摩擦係合するようドラグワッシャの間に設けられた摩擦ワッシャとを有する。釣糸スプールドラッグのブレーキ効果を調整する調整ノブは、軸の前端にねじ込まれる。釣糸スプールドラグのワッシャが互いに押される力は、軸の周りの回転中に釣糸スプールに及ぼされるブレーキ効果を決定する。この力は調整ノブの回転によって設定され、このノブは軸で釣糸スプールを後側に押すブレーキ効果を増大させることに対応した方向に回転するとき、ワッシャに及ぼす圧縮力を増大する。
【０００５】
釣り用釣糸の自由端に取り付けられたルアに魚がかかり、それを釣り上げるときに、その魚を疲れさせる目的で時々それを泳がせるように、スプールは釣糸スプールから釣糸をさらに引き出すことができるようにブレーキ動作の作動に対して軸の周りで回転する。このようなタイヤアウト位相中に、一方の手で調整ノブを回転することによってドラグを調整する。釣糸スプールから出る釣糸は、釣糸スプールから前方に調整ノブ上を外側に流れる。調整ノブがブレーキ効果を調整するように回転すべきとき、釣糸がついており、調整動作の障害になる。
【０００６】
本発明の目的は、上述した問題を無くすように調整ノブが配置される釣糸スプール組立体を提供することである。
【０００７】
【課題を解決するための手段】
本発明によれば、この目的は、前方部分、後方部分及びおねじを有する中間部分を有すると共にスピンドルに非回転的に取付可能な中空の軸と、軸に回転可能に取り付けられる釣糸スプールと、軸の周りの前記釣糸スプールの回転を調整可能に制動する釣糸スプールドラグであって、一方が前記軸に非回転的に結合され、他方が釣糸スプールに非回転的に結合され、互いに回転妨害摩擦係合を行う少なくとも２つのドラグワッシャを有する釣糸スプールドラグと、釣糸スプールの後ろの前記軸の後方部分に回転可能に取り付けられると共に前記釣糸スプールドラグのブレーキ効果を調整する調整ノブと、調整ノブに非回転的に結合されると共に、前記調整ノブの回転による調整可能な力によって互いに向かってワッシャを弾性部材を介して押すために前記軸のねじ付き中間部分にねじ係合する調整ナットとを有する固定スプールタイプのオープンフェイス型釣糸用リールのスピンドルに取り付けられる釣糸スプール組立体によって達成される。
【０００８】
【発明の実施の形態】
以下、図面を参照して本発明の一実施例を詳細に説明する。
図２に概略的に一部のみを示した釣糸リールは、固定スプールタイプのオープンフェイス型釣糸用リールであり、一体的であり、そこから半径方向の所定の距離軸線方向前方に伸びている円筒形部分２と２つの反対位置に対向したアーム３及び４とを有するロータ１を有する。アーム３及び４は、旋回可能なベイル（図示せず）の取付を行う。軸線方向に振動可能なスピンドル５は、ロータ１を通って伸び、そこから前方に突出している。固定スプールタイプの釣糸用リールは、本発明による釣糸スプール組立体とは別に従来技術のタイプであり（米国特許第４，９２７，０９４号参照）、さらに詳細には説明しない。
【０００９】
この明細書及び添付した特許請求の範囲において、“前方”，“後方”、“前”，“後ろ”は、釣り人によって使用される釣り用ロッドに取り付けられたときに、釣糸リールの位置を参照して使用されることに留意すべきである。前方の方向とは図２の右に向かう方向である。
【００１０】
図面に示す釣糸スプールは、中空の軸６を有し、この軸６は、スピンドルに設けられ、軸６の後端面の対応溝８に係合する反対側に突出ピン７によってスピンドル５に非回転可能に接続されている。中空の軸６は、スルーホール９を有し、その直径はスピンドル５の直径に等しい。軸６は、前方部分６ａと、前方部分６ａより大きい直径を有するおねじを有する中間部分６ｂと、中間部分６ｂより大きい直径を有する後方部分６ｃとを有する。（その内の１つが図１に示されている）２つの平坦面１０は、軸６の前方部分６ａに互いに正反対側に形成されており、それによって平坦面を形成する。軸６はその前端の近傍に外方の円周方向の溝１１を有する。軸６はその前方部分６ａの円周方向の内側ラグ１２を有する。軸６は取付ワッシャ１３によってスピンドルに軸線方向に固定されており、取付ワッシャ１３は、軸６の内側ラグ１２に当接してスピンドルに軸線方向にねじ込まれるねじ１４によってスピンドル５に取付けられる。
【００１１】
調整ノブ１５は、軸６の後方部分６ｃに回転可能に取り付けられる。ノブ１５は、半径方向内側を向いた円周方向のフランジ１７を有するスリーブ形状のハブ部分１６を有し、フランジ１７は、後方部分６ｃの前縁に係合してノブ１５が後方に移動することを防止する。ハブ部分１６の前方端部に２つの直径方向に反対位置の軸線方向前方には開放スリット１８が形成されている。ノブ１５は、ハブ部分１６を包囲する前方に開放する円周方向の凹部１９と、凹部１９の半径方向外側に配置されロータ１のシリンダ部分２上で所定の距離だけ後方に伸びている円筒形部分２０とを有する。円筒形部分２０は、外側のゴムコーティング２０ａを有し、このゴムコーティング２０ａは、優れたグリップ面を形成しノブ１５を手によって容易に回転することができるようにする。
【００１２】
ハブ部分１６と同じ外形を有する調整ナット２１が軸６のねじ付き中間部分６ｂにねじこまれる。ナット２１は２つの正反対方向に配置され軸線方向後方に突出している突出部２２を有し、この形状はハブ部分１６のスリット１８に対応し、調整ノブ１５と調整ナット２１との間で非回転的な結合を行うように１つのスリットに軸線方向に摺動可能に係合する。ノブ１５が回転するとき、ナット２１は回転中に支持され、それによって、軸６の中間部分６ｂとねじによって係合することによって軸６に沿って軸線方向に移動される。
【００１３】
内径がハブ部分１６及び調整ナット２１の外径に等しい軸受スリーブ２３がナット２１及びハブ部分１６上を軸６の前方部分６ａから調整ノブ１５の凹部１９に伸びている。軸受スリーブ２３は、円周方向半径方向内側を向いた前端フランジ２４を有し、この中央穴は、平坦面１０を有する部分の軸の断面に対応すると共に軸６上に軸受スリーブ２３を非回転的に保持する形状を有する。またこの軸受スリーブ２３は、後方部分２５を有し、この後方部分２５は、スリーブの他の部分よりもわずかに大きい直径を有し、円周方向、半径方向に突出する後端フランジ２６を備えている。軸受スリーブ２３の後方部分２５は正反対側の位置の２つのスリット２７（その内の１つが図１に示されている）を有し、このスリット２７はその後縁から後方部分２５に伸びている。
【００１４】
また調整ナット２１と軸受スリーブ２３の前端フランジ１４との間に圧縮ばね２８が設けられている。
軸受スリーブ２３には内側スリーブ部材２９が回転可能に取り付けられている。内側スリーブ部材２９はその後方部分に円周方向、半径方向に突出しているフランジ３０と、このフランジから後方にわずかな距離突出している円筒形部分３１とを有する。円筒形部分３１は、その後縁から円筒形部分３１に軸線方向に伸びている２つの反対方向に対向するスリット３２を有する。内側スリーブ部材２９は、フランジ３０のすぐ前方に半径方向に突出するラグ３３を有し、その前端に半径方向内側を向いた端部フランジ部分３４を有し、この直径はその前方部分６ａの軸６の外径に等しい。中央穴が平坦面１０（平面）を有する前方部分６ａの軸の断面に対応する軸を有する支持リング３５が軸６に非回転的に配列されており、内側スリ−ブ部材２９の端部フランジ部分３４に当接する。支持リング３５と、内側スリーブ部材２９と、軸受スリーブ２３と圧縮ばね２８とが軸から抜けることを防止するように軸６の円周方向の溝１１にスナップリング３５′が配置されている。
【００１５】
釣糸スプールドラグ３６は、正反対位置に対向し半径方向内側を向いた２つ突出部３８を有する２つのドラッグワッシャ３８を有し、２つのドラッグワッシャ３９は軸受スリーブ２３によって軸受スリーブ２３の後方部分２５のスリット２７で係合するこれらの突出部分３８によって軸６に非回転的に接続されており、釣糸スプールドラッグ３６は、正反対側に対向し半径方向内側を向いた２つ突出部３８を有する２つのドラッグワッシャ３９を有し、このドラッグワッシャ３９は円筒形部分３１のスリット３２に係合するこれらの突出部４０及び３つの摩擦ワッシャ４１によって内側スリーブ部材２９に非回転的に結合されている。釣糸スプールドラグ３６は、２つのグループのワッシャから成り、各グループは、軸６に非回転可能に接続されたドラグワッシャ３７と、内側のスリーブ部材２９に非回転可能にドラグワッシャ３９と、中間の摩擦ワッシャ４１と、２つのグループの間に配置された摩擦ワッシャ４１とを有する。釣糸スプールドラグ３６はスリーブ２３の後端フランジ２６と内側スリーブ部材２９のフランジ３０との間に設けられ、それによって軸６と内側スリーブ部材２９との間に調整可能なブレーキ効果を製造し、この調整可能性は、以下にさらに詳細に説明する。
【００１６】
調整ノブ１５が回転するとき、上述したように調整ナット２１は、軸６の中間部分６ｂとのネジ係合によって軸６に沿って軸線方向に移動するように回転される。ナット２１が前方に移動する方向にノブ１５を回転するとき、ナットは圧縮ばね２８を介してさらに前方に軸受スリーブ２３を移動させる。その結果として、スプールドラグ３６のワッシャ３７，３９及び４１は、軸受スリーブ２３の後端フランジ２６と内側スリーブ２９のフランジ３０との間でさらにしっかりと押され、その結果、釣糸スプールドラグのブレーキ効果が増大する。それに対応して、ノブ１５が反対方向、すなわち、ナット２１が後方に移動する方向に回転されるとき、釣糸スプールドラッグ３６のブレーキ効果は減少する。
【００１７】
糸（図示せず）を巻く中央部分４２ａと、中央部分４２ａの両側に配置された半径方向の突出する端部フランジ４２ｂ，４２ｃとを有する外側スリーブ部材は、内側スリーブ部材２９上を通過する。外側スリーブ部材４２は、後端フランジ４２ｂが内側スリーブ部材２９のフランジ３０に係合するとき、外側スリーブ部材４２の内側の対応する溝４３に係合する突出ラグ３３によって内側スリーブ部材２９に対して回転することができない。外側スリーブ部材４２の前端フランジ４２ｃは内周方向の溝４４を有する。ばねエレメントの形の着脱可能な固定部材４５は、外周溝４４と内側スリーブ部材２９の前端の外周溝４６の双方に係合する。内側スリーブ部材２９に軸線方向に固定された外側スリーブ部材４２を保持する固定部材４５は外側スリーブ部材４２が内側スリーブ部材２９から解放されることができるように内側スリーブ部材２９の円周方向溝４６から弾性的に着脱可能である。固定部材４５は、内径が前方部分の内側スリーブ部材２９の外径よりわずかに大きいリングから成る。リングは図面に示される位置で側方及び下方に突出している半径方向外側を向いた３つの突出部４７と、前方に突出した上方グリッパラグ４８と、ほぼ正接方向に上方に突出している２つの弾性アーム４９とを有する。突出部４７及び弾性アーム４９は外側スリーブ部材円周方向溝４４に係合し、固定部材４５は弾性アームによって下方に押され、その結果、上方部分は、内側スリーブ部材２９の円周方向の溝４６に係合する。固定部材４５が解放されるとき、ラグ４８は上方に押され、それによってアーム４９のばね作用に対して固定部材が上昇し、内側スリーブ部材２９の円周方向溝４６との係合が外れ、外側スリーブ部材４２を内側スリーブ部材から引き出すことができる。
【００１８】
外側スリーブ部材４２の前方端部フランジ４２ｃは、前方開口部を画定するめねじ５０を有する。この前方開口部におねじ５２を有するキャップ５１がねじ込まれる。
【００１９】
中央部分が異なる深さを有し、端部フランジが異なるように設計されている釣糸スプールで釣りをしようとするとき、また釣糸を異なる太さの新しい釣糸と容易に交換しようとする場合に、キャップ５１をねじって外し、内側スリーブ２９の円周方向溝４６から固定部材４５を外す。外側スリーブ部材４２を内側スリーブ部材２９から引き出し、所望の形状及び所望の太さを有する釣糸を有する新しい外側スリーブ部材と交換する。新しい外側スリーブ部材が図２に示す位置に達したとき、固定部材４５を内側スリーブ部材２９の円周方向の溝４６に適合させる。その後キャップ５１を再びねじ込む。
【００２０】
調整ノブ１５は、軸６の後方部分６ｃに配置され、ロータ２の直径よりわずかに大きい直径を有するので、釣糸スプール組立体から送り出される釣糸が釣糸スプールドラグ３６のブレーキ効果の調整を妨害せずにそれを一方の手によって容易に回転することができる。
【図面の簡単な説明】
【図１】本発明による釣糸スプール組立体を示す分解図である。
【図２】固定スプールタイプを概略的に示し一部を示した釣糸リールのスピンドルに取り付けられた図１の釣糸スプール組立体の軸線方向長手方向断面図である。
【符号の説明】
１  ロータ
２  シリンダ部分
３，４  アーム
５  スピンドル
６  中空の軸
７  ピン
８  溝
９  穴
１０  平坦面
１１  円周方向溝
１２  ラグ
１４  ねじ
１５  調整ノブ
１７  フランジ
２０  円筒形部分
２１  調整ナット
２３  軸受スリーブ
２５  後方部分
２６  フランジ
２９  内側スリーブ部分
３６  釣糸スプールドラグ
４０  突出部
４１  ワッシャ
【図１】
0003597314.tif 000002
【図２】
0003597314.tif 000003